(57)【要約】【課題】インサートを型枠板に簡単に取り付けることができ、コンクリートに埋設されたインサートからの取り外しも容易なインサート取付け具を提案する。【解決手段】インサート６のネジ孔７に螺嵌させることができるネジ軸状本体２と、このネジ軸状本体２の型枠板５への取付け側に隣接し且つネジ軸状本体２よりも大径の座盤４と、ネジ軸状本体２と座盤４とを貫通して当該座盤４から突出する取付け用釘３と、ネジ軸状本体２の取付け用釘３の突出側に連設された回転操作部（釘３）とから構成される。【選択図】図３
2008111277.tif 000002
【特許請求の範囲】
【請求項１】
インサートのネジ孔に螺嵌させることができるネジ軸状本体と、このネジ軸状本体の型枠板への取付け側に隣接し且つネジ軸状本体よりも大径の座盤と、ネジ軸状本体と座盤とを貫通して当該座盤から突出する取付け用釘と、ネジ軸状本体の取付け用釘の突出側に連設された回転操作部とから構成された、インサート取付け具。
【請求項２】
前記取付け用釘は、ネジ軸状本体の貫通孔に圧入固着され、この取付け用釘が前記回転操作部を兼用している、請求項１に記載のインサート取付け具。
【請求項３】
前記座盤は、取付け用釘に着脱自在に外嵌され且つ弾性材から構成されている、請求項１又は２に記載のインサート取付け具。
【請求項４】
前記ネジ軸状本体には、取付け用釘が突出する側に前記回転操作部を構成する回転操作軸部が同心状に一体に突設され、この回転操作軸部に、ネジ軸状本体とは別部品の前記座盤が着脱自在に外嵌され、前記回転操作軸部が前記座盤からは突出しないように構成されている、請求項１〜３の何れか１項に記載のインサート取付け具。
【請求項５】
前記座盤は、ネジ軸状本体に一体に連設されている、請求項１又は２に記載のインサート取付け具。
【請求項６】
前記ネジ軸状本体には、取付け用釘の突出する側とは反対側に、インサートのネジ孔に遊嵌して当該インサートを同心状に支持する支持軸部が一体に連設されている、請求項１〜５の何れか１項に記載のインサート取付け具。
【発明の詳細な説明】
【技術分野】
【０００１】
本発明は、型枠内に打設されるコンクリートによって壁などを築造する際に、当該壁に埋設するインサートを型枠板に取付けておくためのインサート取付け具に関するものである。
【背景技術】
【０００２】
従来のこの種のインサート取付け具としては、特許文献１に示されるように、釘により型枠板に取り付ける釘止め方式のものや、特許文献２に示されるように、接着剤や粘着テープで型枠板に取り付ける接着方式のものが知られている。釘止め方式のものは、型枠解体後にインサートのネジ孔に全体が嵌まり込んでいる取付け具本体をインサートから引き抜く必要があるので、当該取付け具本体に対してインサートをネジ嵌合により取り付けることができない構造になる。又、接着方式のものも、特許文献２の記載によれば、取付け具本体に対してインサートをネジ嵌合により取り付ける構成を採用しているが、インサートのネジ孔に全体が嵌まり込んでいる取付け具本体を型枠解体時に型枠板と共にインサートから引き抜く必要があるので、当該取付け具本体のネジ軸部を弾性材で構成して、インサートのネジ孔から無理やりネジ軸部を引き抜くことができるように構成している。
【特許文献１】実開昭６１−１２０８０６号公報
【特許文献２】特開２００６−２８９０７号公報
【発明の開示】
【発明が解決しようとする課題】
【０００３】
従来のインサート取付け具では、釘止め方式と接着方式の何れにおいても、型枠板に取り付けられた取付け具本体に対してインサートを強固にネジ止めすることができない。仮に特許文献２に記載された接着方式のインサート取付け具の弾性材製の取付け具本体を金属など剛性の高い材料から製造し、この取付け具本体を特許文献１の記載の釘止め方式に変えることができたとしても、型枠解体後にインサートのネジ孔から取付け具本体をネジ戻して抜き取ることができないか又は、抜き取りに相当の手間がかかることになる。
【課題を解決するための手段】
【０００４】
本発明は上記のような従来の問題点を解消し得るインサート取付け具を提供することを目的とするものであって、請求項１に記載のインサート取付け具は、後述する実施形態の参照符号を付して示すと、インサート６のネジ孔７に螺嵌させることができるネジ軸状本体２と、このネジ軸状本体２の型枠板５への取付け側に隣接し且つネジ軸状本体２よりも大径の座盤４と、ネジ軸状本体２と座盤４とを貫通して当該座盤４から突出する取付け用釘３と、ネジ軸状本体２の取付け用釘３の突出側に連設された回転操作部（釘３）とから構成される。
【０００５】
上記構成の本発明を実施するについて、具体的には請求項２に記載のように、前記取付け用釘３は、ネジ軸状本体２の貫通孔２ａに圧入して互いに固着し、この取付け用釘３をネジ軸状本体２の回転操作部に兼用させることができる。
【０００６】
又、請求項３に記載のように、前記座盤４は、弾性材から構成されたものを取付け用釘３に着脱自在に外嵌させることができる。又、請求項４に記載のように、前記ネジ軸状本体２には、取付け用釘３が突出する側に前記回転操作部を構成する回転操作軸部１５を同心状に一体に突設し、この回転操作軸部１５に、ネジ軸状本体２とは別部品の前記座盤１４を着脱自在に外嵌させることができる。
【０００７】
勿論、請求項５に記載のように、前記座盤１１は、ネジ軸状本体２に一体に連設させることも可能である。更に、何れの構成を採用する場合でも、請求項６に記載のように、前記ネジ軸状本体２には、取付け用釘３の突出する側とは反対側に、インサート６のネジ孔７に遊嵌して当該インサート６を同心状に支持する支持軸部１２を一体に連設することができる。
【発明の効果】
【０００８】
上記構成の本発明に係るインサート取付け具においては、ネジ軸状本体は、この本体から突出する取付け用釘を利用して型枠板の所定位置に座盤を介して簡単容易に取り付けることができる。しかも、取付け用釘は、打設コンクリートに埋設されたインサートにネジ嵌合するネジ軸状本体から突出するものであるから、型枠解体時には、取付け用釘から型枠板を引き離すようにして取付け用釘を含むインサート取付け具全体を打設コンクリート側に残した状態で簡単に型枠を解体できる。この後、インサートにネジ嵌合しているネジ軸状本体側の回転操作部を利用して当該ネジ軸状本体をインサートに対してネジ戻し操作することにより、容易にインサート取付け具をインサートから取り外し、インサートのネジ孔を打設コンクリート面側に開放させることができる。
【０００９】
このように本発明に係るインサート取付け具によれば、釘により簡単容易に且つ強固に型枠板に取り付けることができるネジ軸状本体にインサートをネジ込みにより取り付けることができるので、型枠板に対するインサートの取付け強度を十分に高めることができる。しかも型枠解体時のインサート取付け具の取り外しも、インサートに対して単にインサート取付け具をネジ戻し操作するだけで簡単容易に行える。
【００１０】
尚、請求項２に記載の構成によれば、型枠板取り外し後に打設コンクリート面から突出することになる取付け用釘そのものを指先や適当な工具で挟んで回転させるだけで、インサートからインサート取付け具をネジ戻して取り外すことができ、別に専用の回転操作部を設ける場合よりも、安価に実施することができる。
【００１１】
又、請求項３に記載の構成によれば、ネジ軸状本体から張り出す弾性材製の座盤にインサートの端面を押し付けるようにインサートを取り付けることにより、型枠板とインサートとの間の隙間からコンクリートのノロが入り込むのを防止することができる。又、請求項４に記載の構成によれば、取付け用釘を回転操作部に兼用させるときのように取付け用釘をネジ軸状本体に強固に固着する必要がなくなり、場合によってはネジ軸状本体に設けた貫通孔に型枠板への取り付け作業時に釘を挿通させることも可能になるばかりでなく、回転操作部として構成された、例えば角軸状の回転操作軸部を工具などで挟んで強力にネジ軸状本体のネジ戻し操作が行える。勿論、インサートを取り付ける使用状態では、回転操作軸部に外嵌する座盤によって、当該回転操作軸部の周囲にコンクリートが入り込んで凝固し、ネジ軸状本体の取り外しに支障を来すことはなく、回転操作軸部を利用してネジ軸状本体のネジ戻し操作を行うときは、座盤を取り外して回転操作軸部の周囲に空間を確保することができるので、インサート取付け具の取り外し作業は容易に行える。
【００１２】
請求項５に記載のように、前記座盤をネジ軸状本体に一体に連設させることも可能であるが、この場合には、座盤とネジ軸状本体とが金属や硬質合成樹脂などにより一体に構成されることになるので、弾性材製の座盤を利用するときのようにインサートの端面を座盤に容易に食い込ませることはできないが、型枠板の内側面に対しネジ軸状本体より大径で且つ硬質の座板を圧接させることができるので、ネジ軸状本体を型枠板の内側面に対し直角向きに取り付けることが容易になる。従って、結果的にはネジ軸状本体にネジ嵌合させたインサートの端面と型枠板内側面との間に隙間が生じるのを前記座盤により防止することができる。
【００１３】
又、請求項６に記載の構成によれば、ネジ軸状本体の長さをインサートのネジ孔の長さに対して十分に短くして、ネジ軸状本体に対するインサートの取り付けを容易且つ迅速に行えるようにしても、インサート全体をネジ軸状本体と同心状に安定的に保持させることができると共に、ネジ軸状本体に対するインサートのネジ嵌合も容易に行える。
【発明を実施するための最良の形態】
【００１４】
以下に本発明の具体的実施例を添付図に基づいて説明すると、図１において、１は本発明によるインサート取付け具であって、ネジ軸状本体２と、このネジ軸状本体２に同心状に設けられた貫通孔２ａに貫通させた取付け用釘３と、この釘３に着脱自在に外嵌させてネジ軸状本体２の一側面に隣接させた弾性材製の座盤４とから構成されている。釘３は、ネジ軸状本体２に設けられた貫通孔２ａの内径より少し太いものを使用し、この釘３をネジ軸状本体２の貫通孔２ａに圧入して、ネジ軸状本体２に固着一体化している。又、座盤４は、ネジ軸状本体２の外径より大径のものであって、ネジ軸状本体２の外側に張り出す張出周辺部４ａを有する。
【００１５】
上記構成のインサート取付け具１は、図２に示すように、型枠板５の内側面でインサート６を配置する箇所に釘３を利用して取り付ける。即ち、ネジ軸状本体２から突出する釘３を型枠板５に打ち付けるようにネジ軸状本体２の一端に露出している釘頭部３ａをハンマーで打ち叩き、座盤４のネジ軸状本体２に隣接する部分が型枠板５との間で適度に圧縮される状態にネジ軸状本体２を型枠板５に取り付ける。この後、インサート６を、その片側に開口するネジ孔７を利用してネジ軸状本体２にネジ嵌合させ、図３に示すように、インサート６の本体６ａの一端部が座盤４の張出周辺部４ａを圧縮する状態にインサート６をネジ軸状本体２に取り付ける。インサート６としては、ネジ軸状本体２にネジ嵌合させることができるネジ孔７を有するものであれば種々のものが利用できるが、図示のインサート６は、長ナット状の本体６ａのネジ孔７を開口させる側とは反対側に、大径頭部８ａを備えた抜け止め部材８を、ネジ孔７を利用して取り付けたものである。
【００１６】
型枠板５の内側にコンクリート９を打設するとき、型枠板５とインサート６の本体６ａとの間は弾性材製の座盤４の圧縮された張出周辺部４ａで完全に閉じられているので、コンクリートのノロがインサート６のネジ孔７内に入り込むことはない。而して、打設コンクリート９の所定期間の養生後に型枠板５を解体除去するが、このときインサート取付け具１の釘３を型枠板５から相対的に抜き取るようにして型枠板５を解体除去する。そして図４に示すように、打設コンクリート面９ａから突出し且つネジ軸状本体２に固着されている釘３をネジ軸状本体２の回転操作部として、当該釘３を工具で挟んでネジ戻し方向に回転操作することにより、ネジ軸状本体２を釘３及び座盤４と共にインサート６のネジ孔７から抜き取る。これにより、打設コンクリート９内に埋設されたインサート６のネジ孔７を打設コンクリート面９ａに開口させることができるので、例えば仮設足場を打設コンクリート９で構築された壁に繋ぎ止めるための壁つなぎの取付けネジ部をインサート７のネジ孔７に螺合連結するなど、インサート６を活用することができる。
【００１７】
尚、上記インサート取付け具１では、ネジ軸状本体２に対して着脱自在で弾性材製の座盤４を組み合わせたが、図５及び図６に示す第二実施形態に係るインサート取付け具１０のように、ネジ軸状本体２の一端に座盤１１を一体に連設することもできる。この場合、ネジ軸状本体２と座盤１１とは、硬質合成樹脂や鉄材、アルミニウム材などの金属により一体成形されることになる。勿論、この場合の座盤１１にも、ネジ軸状本体２よりも大径で、インサート６の取り付け時に当該インサート６の本体６ａの一端部が圧接する張出周辺部１１ａが形成される。このインサート取付け具１０を型枠板５に釘３を利用して取り付けたとき、仮にネジ軸状本体２の軸心が型枠板５の面に対して完全に直角ではなくて、多少傾いていても、インサート６の本体６ａの一端は座盤１１の張出周辺部１１ａに圧接させることができ、インサート６のネジ孔７を座盤１１で完全に塞ぐことはできる。従って、座盤１１と型枠板５との間に多少コンクリートのノロが入り込んでも、型枠の解体やインサート６の使用には実質的に支障を来すことはない。
【００１８】
又、図示のように、ネジ軸状本体２の長さを短くするために、ネジ軸状本体２の釘３が突出する側とは反対側に、インサート６のネジ孔７内に丁度遊嵌して当該インサート６を同心状に支持する支持軸部１２を一体に連設することができる。この支持軸部１２は、先の実施形態に係るインサート取付け具１に適用することも可能である。勿論、ネジ軸状本体２に一体成形された座盤１１を備えるが、支持軸部１２を備えないインサート取付け具としても実施することができる。
【００１９】
図７〜図９に示す実施形態に係るインサート取付け具１３は、ネジ軸状本体２の回転操作部を釘３で構成するのではなく、ネジ軸状本体２の釘３が突出する側の端部に、釘３に着脱自在に外嵌させる座盤１４の厚さと略同一高さで角軸状の回転操作軸部１５を同心状に一体形成している。座盤１４には、回転操作軸部１５に外嵌させるための中央孔が設けられる。このインサート取付け具１３によれば、座盤１４を回転操作軸部１５に外嵌させた状態で釘３を利用してネジ軸状本体２を型枠板５に取り付けるとき、図８に示すように、回転操作軸部１５が型枠板５に圧接する状態まで釘３を打ち込む。この後、ネジ軸状本体２にインサート６を、当該インサート６の本体６ａの一端部が座盤１４の張出周辺部１４ａに圧接するようにネジ嵌合させる。座盤１４が弾性材製であるときは、インサート６の本体６ａの一端部で座盤１４の張出周辺部１４ａを適度に圧縮させるようにインサート６をネジ嵌合させる。
【００２０】
型枠板５の解体後には、図９に示すように、座盤１４を回転操作軸部１５及び釘３から抜き取ることにより、打設コンクリート面９ａに開口する座盤１４の除去跡凹部内にネジ軸状本体２の回転操作軸部１５が露出することになる。従って、適当な工具で回転操作軸部１５を挟み、ネジ軸状本体２をネジ戻し方向に回転操作し、当該ネジ軸状本体２をインサート６のネジ孔７内から取り外すことができる。尚、この実施形態に係るインサート取付け具１３では、釘３はネジ軸状本体２の貫通孔２ａに圧入して取り付けることができるが、この釘３をネジ軸状本体２の回転操作部に兼用させる必要はないので、ネジ軸状本体２と釘３との固着強度は弱くとも良い。勿論、ネジ軸状本体２の貫通孔２ａを、釘３を自由に出し入れできる内径にして、取り付け前に適当な長さの釘３をネジ軸状本体２の貫通孔２ａに差し込んで使用できるように構成することも可能である。更に、座盤１４として、回転操作軸部１５の周囲に回転操作用の空間を成形するための、実質的に弾性の無い素材、例えば硬質合成樹脂や金属で構成された座盤１４を使用しても良い。
【００２１】
上記インサート取付け具１３において採用した、着脱自在な座盤１４と回転操作軸部１５とを設ける構成は、図１０に示すように、ネジ軸状本体２に支持軸部１２を一体に連設したインサート取付け具１６に対しても適用できる。
【図面の簡単な説明】
【００２２】
【図１】Ａ図は第一実施形態を示す一部縦断側面図、Ｂ図は同正面図である。
【図２】第一実施形態に係るインサート取付け具の使用方法を説明する一部縦断側面図である。
【図３】第一実施形態に係るインサート取付け具でインサートを支持させると共にコンクリートを打設した状態を示す一部縦断側面図である。
【図４】図３の状態から型枠を解体除去すると共にインサート取付け具を取り外した状態を示す一部縦断側面図である。
【図５】Ａ図は第二実施形態を示す一部縦断側面図、Ｂ図は同正面図である。
【図６】第二実施形態に係るインサート取付け具の使用方法を説明する一部縦断側面図である。
【図７】Ａ図は第三実施形態を示す一部縦断側面図、Ｂ図は同正面図である。
【図８】第三実施形態に係るインサート取付け具でインサートを支持させると共にコンクリートを打設した状態を示す一部縦断側面図である。
【図９】図８の状態から型枠を解体除去すると共にインサート取付け具を取り外した状態を示す一部縦断側面図である。
【図１０】第四実施形態を示す一部縦断側面図である。
【符号の説明】
【００２３】
１，１０，１３，１６    インサート取付け具
２    ネジ軸状本体
２ａ    貫通孔
３    取付け用釘
３ａ    釘頭部
４，１１，１４    座盤
４ａ，１１ａ，１４ａ    張出周辺部
５    型枠板
６    インサート
６ａ    インサート本体
７    ネジ孔
８    抜け止め部材
８ａ    大径頭部
９    コンクリート
９ａ    打設コンクリート面
１２    支持軸部
１５    回転操作軸部
【図１】
2008111277.tif 000003
【図２】
2008111277.tif 000004
【図３】
2008111277.tif 000005
【図４】
2008111277.tif 000006
【図５】
2008111277.tif 000007
【図６】
2008111277.tif 000008
【図７】
2008111277.tif 000009
【図８】
2008111277.tif 000010
【図９】
2008111277.tif 000011
【図１０】
2008111277.tif 000012